(57)【要約】【課題】携帯端末内のデータをパソコン等の情報機器や他の携帯端末によって簡単かつ短時間で閲覧・編集できるようにする。【解決手段】データ記録用のメモリ１１・・１５、カード差込口１Ａ及びカード差込口１Ａからメモリ１１・・１５へのアクセス手段（入出力装置１２）を有する携帯端末１とパソコン２（もしくは他の携帯機器１）との間を、両端にカード３Ａが設けられたケーブル３を用いて接続し、携帯端末１内の各種設定データ、画像データ、音楽データ、テキストデータ、電話帳データなどのデータを、パソコン２（もしくは他の携帯端末１）から直接閲覧・編集できるようにする。【選択図】図１
2004208052.tif 000002
【特許請求の範囲】
【請求項１】
データ記録用のメモリ、カード差込口及び前記カード差込口から前記メモリへのアクセス手段を有する携帯端末と、他の情報機器との間を、両端にカードが設けられたケーブルを用いて接続し、それら携帯端末−情報機器間においてデータを閲覧・編集することを特徴とする携帯端末のデータ操作方法。
【請求項２】
データ記録用のメモリ、カード差込口及び前記カード差込口から前記メモリへのアクセス手段を有する携帯端末と、他の携帯端末との間を、両端にカードが設けられたケーブルを用いて接続し、それら携帯端末−携帯端末間においてデータを閲覧・編集することを特徴とする携帯端末のデータ操作方法。
【請求項３】
請求項１または２記載の携帯端末のデータ操作方法において、前記携帯端末が、各種設定データメモリ、画像データメモリ、音楽データメモリ、テキストデータメモリまたは電話帳データメモリのいずれか１つもしくは複数のメモリと、その各メモリへのアクセス手段を備え、携帯端末−情報機器間または携帯端末−携帯端末間において、各種設定データ、画像データ、音楽データ、テキストデータまたは電話帳データのいずれか１つもしくは複数のデータを閲覧・編集することを特徴とする携帯端末のデータ操作方法。
【請求項４】
請求項１または２記載の携帯端末のデータ操作方法において、複数のカード差込口を有する接続アダプタを用いてケーブル接続を行うことにより、複数の携帯端末−情報機器間、複数の携帯端末−複数の情報機器間、複数の携帯端末−携帯端末間、または、複数の携帯端末−複数の携帯端末間においてデータを閲覧・編集することを特徴とする携帯端末のデータ操作方法。
【発明の詳細な説明】
【０００１】
【発明の属する技術分野】
本発明は、携帯電話やＰＤＡ（Ｐｅｒｓｏｎａｌ  Ｄｉｇｉｔａｌ  Ａｓｓｉｓｔａｎｔ）等の携帯端末において、データの閲覧・編集等の操作を行う携帯端末のデータ操作方法に関する。
【０００２】
【従来の技術】
携帯電話やＰＤＡ等の携帯端末においては、各種設定メモリのほか、画像データ、音楽データ、電話帳データ、テキストデータ、電話帳データなどを記憶するメモリが設けられている。また、最近のＰＤＡ等の携帯端末には、メモリカードやＣＦ（コンパクトフラッシュ）カードなどのカードを挿入するカード差込口（カードスロット）が設けられている。
【０００３】
ＰＤＡ等の携帯端末に記憶された画像データ、音楽データ、テキストデータ、電話帳データなどを、パーソナルコンピュータ（以下、パソコンという）等の情報機器で編集したり閲覧する場合、従来、携帯端末カードに設けられたカード差込口を利用し、メモリカードにてデータを取り扱うという方法が採られている（従来技術１）。
【０００４】
また、接続ケーブルを用いて携帯端末内のデータを操作する方法として、携帯端末のシリアルポートにシリアルケーブルを繋ぐことにより、携帯端末−パソコンの間や、携帯端末−携帯端末の間においてデータを転送する方法がある（例えば、特許文献１参照。）。
【０００５】
【特許文献１】
特開平１１−３１３１２８号公報
【０００６】
【発明が解決しようとする課題】
ところで、前記した従来技術１のように、メモリカードを用いてデータを操作する場合、各種データを、携帯端末→メモリカード→パソコン→メモリカード→携帯端末の手順で転送するというような面倒な操作を行う必要がある上、データの閲覧・編集等に多くの時間を要する。
【０００７】
また、前記した特許文献１に記載されているようなデータ転送方法では、シリアルポートからデータを転送しているので、データを一括で転送することしかできず、このため、携帯端末のデータをパソコンで編集しようとした場合、携帯端末からパソコンへデータを一括で転送し、パソコン上でデータを編集した後に、もう一度、データをパソコンから携帯端末に一括で転送するという方法を取らざるを得ず、従って、この方法においてもデータ操作に時間を要する。
【０００８】
本発明はそのような実情に鑑みてなされたもので、携帯端末内のデータをパソコン等の情報機器や他の携帯端末で簡単かつ短時間で閲覧・編集することが可能な携帯端末のデータ操作方法の提供を目的とする。
【０００９】
【課題を解決するための手段】
本発明の携帯端末のデータ操作方法は、データ記録用のメモリ、カード差込口及び前記カード差込口から前記メモリへのアクセス手段を有する携帯端末と他の情報機器との間を、両端にカードが設けられたケーブルを用いて接続し、それら携帯端末−情報機器間においてデータを閲覧・編集することを特徴としている。
【００１０】
本発明の携帯端末のデータ操作方法は、データ記録用のメモリ、カード差込口及び前記カード差込口から前記メモリへのアクセス手段を有する携帯端末と他の携帯端末との間を、両端にカードが設けられたケーブルを用いて接続し、それら携帯端末−携帯端末間においてデータを閲覧・編集することを特徴としている。
【００１１】
本発明の携帯端末のデータ操作方法によれば、カード差込口を有する携帯端末と、パソコン等の情報機器もしくは他の携帯端末（カード差込口付き）とを、両端にカードが設けられたカード型接続ケーブルにて相互に接続するので、携帯端末内のデータを、パソコン等の情報機器もしくは他の携帯端末から直接編集したり、閲覧することが可能となり、携帯端末→メモリカード→パソコン→メモリカード→携帯端末の手順でデータを操作するというような面倒な作業や、データを一括で転送するという処理を行う必要がなくなる。
【００１２】
本発明の携帯端末のデータ操作方法において、携帯端末が、各種設定データメモリ、画像データメモリ、音楽データメモリ、テキストデータメモリまたは電話帳データメモリのいずれか１つもしくは複数のメモリと、その各メモリへのアクセス手段を備え、携帯端末−情報機器間または携帯端末−携帯端末間において、各種設定データ、画像データ、音楽データ、テキストデータまたは電話帳データのいずれか１つもしくは複数のデータを閲覧・編集するようにしてもよい。
【００１３】
本発明の携帯端末のデータ操作方法において、複数のカード差込口を有する接続アダプタを用いてケーブル接続を行うことで、複数の携帯端末−情報機器間、複数の携帯端末−複数の情報機器間、複数の携帯端末−携帯端末間、または、複数の携帯端末−複数の携帯端末間においてデータを閲覧・編集するようにしてもよい。
【００１４】
【発明の実施の形態】
以下、本発明の実施形態を図面に基づいて説明する。
【００１５】
まず、本実施形態において使用する携帯端末１は、例えばＰＤＡであって、図示はしないが、操作キーなどを有する入力部、各種設定データ、画像データ、音楽データ、テキストデータ、電話帳データなどを表示する表示部、及び、ユーザの操作に応じて処理を行うＣＰＵ等の制御部などを備えている。
【００１６】
また、携帯端末１は、図１に示すように、各種設定データを記憶する各種設定メモリ１１、画像データを記憶する画像データメモリ１２、音楽データを記憶する音楽データメモリ１３、テキストデータを記憶するテキストデータメモリ１４及び電話帳データを記憶する電話帳データメモリ１５などを備えている。
【００１７】
さらに、携帯端末１には、カード差込口１Ａと、このカード差込口１Ａから携帯端末１内の各メモリ１１・・１５へのアクセス手段である入出力装置１０が設けられている。入出力装置１０は、携帯端末１内の各メモリ１１・・１５にパス２１・・２５を介してそれぞれ接続されており、カード差込口１Ａに差し込まれたカード（後述するカード型接続ケーブル３の一端のカード３Ａ）からの入力信号を検知した時点で、各種設定メモリ１１、画像データメモリ１２、音楽データメモリ１３、テキストデータメモリ１４、電話帳データメモリ１５のいずれか１つのメモリもしくは複数のメモリへのパス２１・・２５を開くように構成されている。
【００１８】
次に、本発明の実施形態を図１を参照しながら説明する。
【００１９】
この実施形態では、両端にカード３Ａ，３Ａが設けられたカード型接続ケーブル３を用い、そのカード型接続ケーブル３の一端のカード３Ａを前記した構造の携帯端末１のカード差込口１Ａに挿入し、他端のカード３Ａをパソコン２のカード差込口２Ａに挿入して、携帯端末１とパソコン２とをカード型接続ケーブル３を介して相互に接続している。
【００２０】
そして、この実施形態において、例えば、パソコン２の操作により、各種設定メモリ１１にアクセスする旨の信号が携帯端末１に向けて出力された場合、携帯端末１側では、パソコン２からの信号（入力信号）を入出力装置１０が検知した時点で、各種設定メモリ１１へのパス２１が開いて各種設定メモリ１１とパソコン２とがアクセス可能な状態となる。これにより、パソコン２上で携帯端末１の各種設定メモリ１１内のデータを閲覧することが可能になり、さらに、各種設定メモリ１１内のデータをパソコン２側の操作で直接編集することも可能になる。
【００２１】
また、画像データメモリ１２、音楽データメモリ１３、テキストデータメモリ１４、電話帳データメモリ１５の各メモリ内のデータについても、同様な操作・処理を行うことにより、パソコン２側で閲覧・編集することができる。
【００２２】
ここで、図１の実施形態では、携帯端末１とパソコン２との間のデータ操作について説明したが、本発明はこれに限られることなく、例えば、図２に示すように、携帯端末１と他の携帯端末１とをカード型接続ケーブル３にて接続して、それら携帯端末１−携帯端末１間において、各種設定データ、画像データ、音楽データ、テキストデータ及び電話帳データなどのデータを閲覧・編集するようにしてもよい。
【００２３】
また、図３に示すように、複数のカード差込口４Ａ・・４Ａを有する接続アダプタ４と、複数本のカード型接続ケーブル３・・３を用いることにより、複数の携帯端末１とパソコン２との間、複数の携帯端末１と１台または複数の携帯端末１との間などにおいて、各種設定データ、画像データ、音楽データ、テキストデータ及び電話帳データなどのデータを直接閲覧・編集するようにしてもよい。
【００２４】
【発明の効果】
以上説明したように、本発明によれば、携帯端末内の各種設定データ、画像データ、音楽データ、テキストデータなどのデータを、パソコン等の情報機器もしくは他の携帯端末から直接編集したり、閲覧することができるので、携帯端末→メモリカード→パソコン→メモリカード→携帯端末の手順でデータを操作するというような面倒な作業や、データを一括で転送するという処理を行う必要がなくなり、携帯端末内のデータを短時間で簡単に操作することができる。従って本発明を採用することにより、携帯端末に様々な情報を簡単に供給することができ、また、逆に、携帯機器からパソコン等の情報機器に情報を登録することも可能になる。
【図面の簡単な説明】
【図１】本発明の実施形態の説明図である。
【図２】本発明の他の実施形態の説明図である。
【図３】本発明の別の実施形態の説明図である。
【符号の説明】
１  携帯端末
１Ａ  カード差込口
１０  入出力装置（アクセス手段）
１１  各種設定メモリ
１２  画像データメモリ
１３  音楽データメモリ
１４  テキストデータメモリ
１５  電話帳データメモリ
２１・・２５  パス
２  パソコン（情報機器）
２Ａ  カード差込口
３  カード型接続ケーブル
３Ａ  カード
４  接続アダプタ
４Ａ  カード差込口
【図１】
2004208052.tif 000003
【図２】
2004208052.tif 000004
【図３】
2004208052.tif 000005